(57)【要約】【課題】撮像装置によって撮像された画像を簡易に印刷すること。【解決手段】撮像装置（ディジタルカメラ９０）との間で情報を授受することが可能な印刷装置（プリンタ２２）において、撮像装置の特性を示す特性情報を取得する特性情報取得手段（制御回路４０）と、特性情報取得手段によって取得された特性情報に応じて、印刷属性を設定する印刷属性設定手段（制御回路４０）と、を有する。このため、撮像装置によって撮像された画像を簡易に印刷することが可能になる。【選択図】        図１
2005052995.tif 000002
【特許請求の範囲】
【請求項１】
撮像装置との間で情報を授受することが可能な印刷装置において、
上記撮像装置の特性を示す特性情報を取得する特性情報取得手段と、
前記特性情報取得手段によって取得された特性情報に応じて、印刷属性を設定する印刷属性設定手段と、を有することを特徴とする印刷装置。
【請求項２】
前記印刷属性設定手段は、前記撮像装置によって撮像された画像データを、印刷用のラスタデータに変換する際の変換テーブルを、前記特性情報に応じて選択することを特徴とする請求項１記載の印刷装置。
【請求項３】
前記特性情報取得手段は、前記撮像装置に格納されている撮像装置の型番を示す情報を参照して前記撮像装置の型番を特定し、特定された型番に対応する印刷属性を予め登録されている印刷属性群の中から選択することを特徴とする請求項１記載の印刷装置。
【請求項４】
前記特性情報取得手段によって取得された特性情報を参照して印刷しようとする画像データのサイズを特定する画像サイズ特定手段と、
前記画像サイズ特定手段によって特定されたサイズが、印刷に必要なサイズよりも大きい場合には、前記撮像装置に対して間引き処理を行うように要請した後に画像データの転送を行い、前記画像サイズ特定手段によって特定されたサイズが、印刷に必要なサイズよりも小さい場合には、画像データの転送を行った後に、補間処理を実行する転送手段と、をさらに有することを特徴とする請求項１記載の印刷装置。
【請求項５】
撮像装置との間で情報を授受することが可能な印刷装置において、
上記撮像装置に格納されている画像データを印刷する際の印刷属性を設定する印刷属性設定手段と、
上記印刷属性設定手段によって設定がなされた画像データを、上記撮像装置が有する表示部に表示させる表示手段と、を有することを特徴とする印刷装置。
【請求項６】
前記印刷属性設定手段によって行われた設定の内容を示す設定情報を生成する設定情報生成手段と、
上記設定情報生成手段によって生成された設定情報を前記撮像装置に供給して格納させる格納手段と、を有し、
前記印刷属性設定は、前記撮像装置に前記設定情報が格納されている場合には、当該設定情報に基づいて印刷属性の設定を行うことを特徴とする請求項５記載の印刷装置。
【請求項７】
撮像装置との間で情報を授受することが可能な印刷装置において、
上記撮像装置を載置するための載置部と、
上記撮像装置が有する表示部に印刷しようとする画像が表示された状態で、上記載置部に上記撮像装置が載置された場合、または、上記載置部に載置された上記撮像装置がその表示部に画像を表示した後、その画像が印刷対象として選択された場合には、表示されている画像に対応する画像データを取得する画像データ取得手段と、
上記画像データ取得手段によって取得された画像データを印刷する印刷手段と、を有することを特徴とする印刷装置。
【請求項８】
前記表示部に表示された画像データを印刷する際の印刷属性を設定するための印刷属性設定手段をさらに有することを特徴とする請求項７記載の印刷装置。
【請求項９】
撮像装置との間で情報を授受することが可能な印刷装置の印刷方法において、
上記撮像装置の特性を示す特性情報を取得する特性情報取得ステップと、
前記特性情報取得ステップによって取得された特性情報に応じて、印刷属性を設定する印刷属性設定ステップと、を有することを特徴とする印刷方法。
【請求項１０】
撮像装置との間で情報を授受することが可能な印刷装置の印刷方法において、
上記撮像装置に格納されている画像データを印刷する際の印刷属性を設定する印刷属性設定ステップと、
上記印刷属性設定ステップによって設定がなされた画像データを、上記撮像装置が有する表示部に表示させる表示ステップと、を有することを特徴とする印刷方法。
【請求項１１】
表示部を有する撮像装置を載置する載置部を有し、当該撮像装置との間で情報を授受することが可能な印刷装置の印刷方法において、
上記撮像装置が有する表示部に印刷しようとする画像が表示された状態で、上記載置部に上記撮像装置が載置された場合、または、上記載置部に載置された上記撮像装置がその表示部に画像を表示した後、その画像が印刷対象として選択された場合には、表示されている画像に対応する画像データを取得する画像データ取得ステップと、
上記画像データ取得ステップによって取得された画像データを印刷する印刷ステップと、を有することを特徴とする印刷方法。
【請求項１２】
撮像装置との間で情報を授受することが可能な印刷装置において実行されるコンピュータ読み取り可能な印刷用プログラムにおいて、
上記コンピュータを、
上記撮像装置の特性を示す特性情報を取得する特性情報取得手段、
前記特性情報取得手段によって取得された特性情報に応じて、印刷属性を設定する印刷属性設定手段、として機能させることを特徴とするコンピュータ読み取り可能な印刷用プログラム。
【請求項１３】
撮像装置との間で情報を授受することが可能な印刷装置において実行されるコンピュータ読み取り可能な印刷用プログラムにおいて、
コンピュータを、
上記撮像装置に格納されている画像データを印刷する際の印刷属性を設定する印刷属性設定手段、
上記印刷属性設定手段によって設定がなされた画像データを、上記撮像装置が有する表示部に表示させる表示手段、として機能させることを特徴とするコンピュータ読み取り可能な印刷用プログラム。
【請求項１４】
表示部を有する撮像装置を載置する載置部を有し、当該撮像装置との間で情報を授受することが可能な印刷装置において実行されるコンピュータ読み取り可能な印刷用プログラムにおいて、
コンピュータを、
上記撮像装置が有する表示部に印刷しようとする画像が表示された状態で、上記載置部に上記撮像装置が載置された場合、または、上記載置部に載置された上記撮像装置がその表示部に画像を表示した後、その画像が印刷対象として選択された場合には、表示されている画像に対応する画像データを取得する画像データ取得手段、
上記画像データ取得手段によって取得された画像データを印刷する印刷手段、として機能させることを特徴とするコンピュータ読み取り可能な印刷用プログラム。
【請求項１５】
印刷装置との間で情報を授受することが可能な撮像において、
上記印刷装置において画像データを印刷する際に使用された設定情報を取得する取得手段と、
上記取得手段によって取得された設定情報を記憶する記憶手段と、
上記印刷装置によって再度画像データを印刷する際には、上記記憶手段に記憶されている上記設定情報を供給する供給手段と、を有することを特徴とする撮像装置。
【発明の詳細な説明】
【０００１】
【発明の属する技術分野】
本発明は、印刷装置、印刷方法、印刷用プログラム、および撮像装置に関する。
【０００２】
【従来の技術】
近年、ディジタルカメラ等の撮像装置の普及により、これらの撮像装置によって撮像された画像を、例えば、家庭内において印刷装置によって印刷する機会が増えている。
【０００３】
また、近年では、パーソナルコンピュータを使用することなく、画像の印刷が可能となる、いわゆるスタンドアローン型の印刷装置が、種々提案されている（特許文献１参照）。
【０００４】
【特許文献１】
特開２００２−２７３９６９号公報（請求の範囲、要約）
【０００５】
【発明が解決しようとする課題】
ところで、ディジタルカメラによって撮像された画像を印刷装置によって印刷する場合には、ディジタルカメラに装着されている記憶媒体を装置本体から外し、パーソナルコンピュータに接続された読み取り装置に装着した後、所望の画像をパーソナルコンピュータに読み込み、印刷装置へ出力する必要がある。このため、これらの一連の操作を行うのは煩雑であり、特に、初心者には困難が伴うという問題点がある。
【０００６】
また、前述のスタンドアローン型の印刷装置の場合では、表示部のサイズが小さい場合が多いため、印刷しようとする画像を選択したり、補正処理を行ったりする際の操作が煩雑であるという問題点がある。
【０００７】
本発明は、上記の事情に基づきなされたもので、その目的とするところは、撮像装置によって撮像された画像を簡易に印刷することが可能な印刷装置、印刷方法、印刷用プログラム、および撮像装置を提供することを目的とする。
【０００８】
【課題を解決するための手段】
本発明は、課題を解決するために、撮像装置との間で情報を授受することが可能な印刷装置において、撮像装置の特性を示す特性情報を取得する特性情報取得手段と、特性情報取得手段によって取得された特性情報に応じて、印刷属性を設定する印刷属性設定手段と、を有している。
【０００９】
このため、撮像装置によって撮像された画像を簡易に印刷することが可能となる。すなわち、撮像装置の特性に合った状態で、画像を簡易に印刷できることになる。
【００１０】
また、他の発明は、上述の発明に加えて、印刷属性設定手段は、撮像装置によって撮像された画像データを、印刷用のラスタデータに変換する際の変換テーブルを、特性情報に応じて選択するようにしている。このため、撮像装置に応じた変換テーブルを選択し、高品質の画像を印刷することができる。
【００１１】
また、他の発明は、上述の発明に加えて、特性情報取得手段は、撮像装置に格納されている撮像装置の型番を示す情報を参照して撮像装置の型番を特定し、特定された型番に対応する印刷属性を予め登録されている印刷属性群の中から選択するようにしている。このため、複数の撮像装置に対応することが可能になる。
【００１２】
また、他の発明は、上述の発明に加えて、特性情報取得手段によって取得された特性情報を参照して印刷しようとする画像データのサイズを特定する画像サイズ特定手段と、画像サイズ特定手段によって特定されたサイズが、印刷に必要なサイズよりも大きい場合には、撮像装置に対して間引き処理を行うように要請した後に画像データの転送を行い、画像サイズ特定手段によって特定されたサイズが、印刷に必要なサイズよりも小さい場合には、画像データの転送を行った後に、補間処理を実行する転送手段と、をさらに有している。このため、転送される画像データの容量を減少させることにより、転送に必要な時間を短縮することが可能になる。
【００１３】
また、本発明は、撮像装置との間で情報を授受することが可能な印刷装置において、撮像装置に格納されている画像データを印刷する際の印刷属性を設定する印刷属性設定手段と、印刷属性設定手段によって設定がなされた画像データを、撮像装置が有する表示部に表示させる表示手段と、を有するようにしている。
【００１４】
このように、印刷装置に設けられる載置部を有効活用することで、撮像装置によって撮像された画像を簡易に印刷することが可能となる。
【００１５】
また、他の発明は、上述の発明に加えて、印刷属性設定手段によって行われた設定の内容を示す設定情報を生成する設定情報生成手段と、設定情報生成手段によって生成された設定情報を撮像装置に供給して格納させる格納手段と、を有し、印刷属性設定は、撮像装置に設定情報が格納されている場合には、当該設定情報に基づいて印刷属性の設定を行うようにしている。このため、設定情報を再利用することにより、設定情報の入力の手間を省略することが可能になる。
【００１６】
また、本発明は、撮像装置との間で情報を授受することが可能な印刷装置において、撮像装置を載置するための載置部と、撮像装置が有する表示部に印刷しようとする画像が表示された状態で、載置部に撮像装置が載置された場合、または、載置部に載置された撮像装置がその表示部に画像を表示した後、その画像が印刷対象として選択された場合には、表示されている画像に対応する画像データを取得する画像データ取得手段と、画像データ取得手段によって取得された画像データを印刷する印刷手段と、を有するようにしている。
【００１７】
この方法を活用すると、撮像装置によって撮像された画像を簡易に印刷することが可能となる。また、撮像装置の特性情報を有効に活用することで、撮像装置の特性に合った画像を簡易に印刷することができることになる。
【００１８】
また、他の発明は、上述の発明に加えて、表示部に表示された画像データを印刷する際の印刷属性を設定するための印刷属性設定手段をさらに有するようにしている。このため、画像を高品質で印刷することが可能になる。
【００１９】
また、本発明は、撮像装置との間で情報を授受することが可能な印刷装置の印刷方法において、撮像装置の特性を示す特性情報を取得する特性情報取得ステップと、特性情報取得ステップによって取得された特性情報に応じて、印刷属性を設定する印刷属性設定ステップと、を有するようにしている。
【００２０】
この印刷方法によると、撮像装置によって撮像された画像を簡易に印刷することが可能となる。
【００２１】
また、本発明は、撮像装置との間で情報を授受することが可能な印刷装置の印刷方法において、撮像装置に格納されている画像データを印刷する際の印刷属性を設定する印刷属性設定ステップと、印刷属性設定ステップによって設定がなされた画像データを、撮像装置が有する表示部に表示させる表示ステップと、を有するようにしている。
【００２２】
この方法を活用すると、印刷装置に設けられた載置部を有効活用することで、撮像装置によって撮像された画像を簡易に印刷することが可能となる。
【００２３】
また、本発明は、表示部を有する撮像装置を載置する載置部を有し、当該撮像装置との間で情報を授受することが可能な印刷装置の印刷方法において、撮像装置が有する表示部に印刷しようとする画像が表示された状態で、載置部に撮像装置が載置された場合、または、載置部に載置された撮像装置がその表示部に画像を表示した後、その画像が印刷対象として選択された場合には、表示されている画像に対応する画像データを取得する画像データ取得ステップと、画像データ取得ステップによって取得された画像データを印刷する印刷ステップと、を有するようにしている。
【００２４】
この方法を活用すると、印刷装置に設けられた載置部を有効活用することで、撮像装置によって撮像された画像を簡易に印刷することが可能となる。
【００２５】
また、本発明は、撮像装置との間で情報を授受することが可能な印刷装置において実行されるコンピュータ読み取り可能な印刷用プログラムにおいて、コンピュータを、撮像装置の特性を示す特性情報を取得する特性情報取得手段、特性情報取得手段によって取得された特性情報に応じて、印刷属性を設定する印刷属性設定手段、として機能させるようにしている。
【００２６】
このため、このプログラムをコンピュータにインストールすると、撮像装置によって撮像された画像を簡易に印刷することが可能となる。
【００２７】
また、本発明は、撮像装置との間で情報を授受することが可能な印刷装置において実行されるコンピュータ読み取り可能な印刷用プログラムにおいて、コンピュータを、撮像装置に格納されている画像データを印刷する際の印刷属性を設定する印刷属性設定手段、印刷属性設定手段によって設定がなされた画像データを、撮像装置が有する表示部に表示させる表示手段、として機能させるようにしている。
【００２８】
このため、このプログラムをコンピュータにインストールすると、撮像装置によって撮像された画像を簡易に印刷することが可能となる。
【００２９】
また、本発明は、表示部を有する撮像装置を載置する載置部を有し、当該撮像装置との間で情報を授受することが可能な印刷装置において実行されるコンピュータ読み取り可能な印刷用プログラムにおいて、コンピュータを、撮像装置が有する表示部に印刷しようとする画像が表示された状態で、載置部に撮像装置が載置された場合、または、載置部に載置された撮像装置がその表示部に画像を表示した後、その画像が印刷対象として選択された場合には、表示されている画像に対応する画像データを取得する画像データ取得手段、画像データ取得手段によって取得された画像データを印刷する印刷手段、として機能させるようにしている。
【００３０】
このため、このプログラムをコンピュータにインストールすると、撮像装置によって撮像された画像を簡易に印刷することが可能となる。
【００３１】
また、本発明は、印刷装置との間で情報を授受することが可能な撮像において、印刷装置において画像データを印刷する際に使用された設定情報を取得する取得手段と、取得手段によって取得された設定情報を記憶する記憶手段と、印刷装置によって再度画像データを印刷する際には、記憶手段に記憶されている設定情報を供給する供給手段と、を有するようにしている。
【００３２】
このため、この撮像装置を印刷装置と協働させることによって、この撮像装置が撮像した画像を印刷装置によって簡易に印刷することが可能となる。
【００３３】
【発明の実施の形態】
以下、本発明の一実施の形態について、図面を参照して説明する。
【００３４】
まず、本発明の実施の形態に係る印刷装置の概要について、図１および図２を参照しつつ説明する。なお、本明細書中において、「画像」とは、例えば、ディジタルカメラ等によって撮像された自然画のみならず、線画およびテキスト等も含むものとする。また、「属性情報」とは、プリンタ２２が画像データを印刷する際に使用する情報および画像データに対して行う補正処理に関する情報をいう。
【００３５】
図１は、印刷装置を構成するプリンタ２２の概略構成図であり、図２は、制御回路４０を中心としたプリンタ２２の主要部の構成例を示すブロック図である。
【００３６】
図１に示すように、プリンタ２２は、紙送りモータ２３によって印刷用紙Ｐを搬送する副走査送り機構と、キャリッジモータ２４によってキャリッジ３１を紙送りローラ２６の軸方向に往復動させる主走査送り機構とを有している。ここで、副走査送り機構による印刷用紙Ｐの送り方向を副走査方向といい、主走査送り機構によるキャリッジ３１の移動方向を主走査方向という。
【００３７】
また、プリンタ２２は、キャリッジ３１に搭載され、印刷ヘッド１２を備えた印刷ヘッドユニット６０と、この印刷ヘッドユニット６０を駆動してインクの吐出およびドット形成を制御するヘッド駆動機構と、これらの紙送りモータ２３、キャリッジモータ２４、印刷ヘッドユニット６０、操作部１３６、撮像装置であるディジタルカメラ９０、およびＴＶ（Ｔｅｌｅｖｉｓｉｏｎ）受像機１００との信号のやり取りを司る制御回路４０とを備えている。
【００３８】
つぎに、印刷ヘッド１２の構成について、図１を参照しつつ説明する。
【００３９】
キャリッジ３１には、図１に示すように、ブラック（Ｋ）のインクを収納したカートリッジ７１、シアン（Ｃ）のインクを収納したカートリッジ７２、マゼンタ（Ｍ）のインクを収納したカートリッジ７３、イエロー（Ｙ）のインクを収納したカートリッジ７４の４つのインクカートリッジ７１〜７４が着脱可能に搭載される。
【００４０】
キャリッジ３１の下部には印刷ヘッド１２が設けられている。印刷ヘッド１２には、インク吐出箇所としてのノズルが印刷用紙Ｐの搬送方向に列状に配置され、それぞれの色のインクに対応したノズル列を形成している。
【００４１】
また、キャリッジ３１の下部に設けられ、各インクに対応づけられたノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００４２】
本実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴が印刷用紙Ｐに染み込むことにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００４３】
制御回路４０は、載置部であるクレードル（Ｃｒａｄｌｅ）４８に載置されたディジタルカメラ９０との間で情報を授受する機能を有している。また、ディジタルカメラ９０から取得した画像を印刷する際に、画像の解像度を変換したり、ＲＧＢ表色系データをＣＭＹＫ表色系データに変換したりする処理を実行する。さらに、制御回路４０は、ディジタルカメラ９０のＬＣＤ９０ｇ（図６参照）に表示されている情報と同一の情報を表示するＴＶ受像機１００が接続される。
【００４４】
印刷用紙Ｐを搬送する副走査送り機構は、紙送りモータ２３の回転を紙送りローラ２６と用紙搬送ローラ（図示せず）とに伝達するギヤトレイン（図示せず）を備える。
【００４５】
また、キャリッジ３１を往復動させる主走査送り機構は、紙送りローラ２６の軸と並行に架設されキャリッジ３１を摺動可能に保持する摺動軸３４と、キャリッジモータ２４との間に無端の駆動ベルト３６を張設するプーリ３８と、キャリッジ３１の原点位置および印刷用紙の紙端を検出するための光学センサ３９とを備えている。なお、光学センサ３９は、印刷用紙Ｐがセットされた場合に、印刷用紙Ｐに対して投光する光源と、印刷用紙Ｐからの反射光を対応する画像信号に変換するフォトダイオードとによって構成されている。
【００４６】
図２に示すように、制御回路４０は、ＣＰＵ（Ｃｅｎｔｒａｌ  Ｐｒｏｃｅｓｓｉｎｇ  Ｕｎｉｔ）４１、プログラマブルＲＯＭ（Ｐ−ＲＯＭ（Ｒｅａｄ  Ｏｎｌｙ  Ｍｅｍｏｒｙ））４３、ＲＡＭ（Ｒａｎｄｏｍ  Ａｃｃｅｓｓ  Ｍｅｍｏｒｙ）４４、文字のドットマトリクスを記憶したキャラクタジェネレータ（ＣＧ（Ｃｈａｒａｃｔｅｒ  Ｇｅｎｅｒａｔｏｒ））４５、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）４６、および送受信回路４７を備えた算術論理演算回路として構成されている。なお、送受信回路４７は、クレードル４８に載置されたディジタルカメラ９０との間で情報を送受信するものであるが、他の機器との間でも情報の送受信が可能となるように構成してもよい。
【００４７】
この制御回路４０は、さらに、外部のモータ等とのインタフェース（Ｉ／Ｆ（Ｉｎｔｅｒｆａｃｅ））であるＩ／Ｆ専用回路５０、このＩ／Ｆ専用回路５０に接続され印刷ヘッドユニット６０を駆動してインクを吐出させるヘッド駆動回路５２、紙送りモータ２３、キャリッジモータ２４を駆動するモータ駆動回路５４、および送受信回路４７を備えている。
【００４８】
Ｉ／Ｆ専用回路５０は、操作部１３６、ヘッド駆動回路５２、モータ駆動回路５４、光学センサ３９、およびＴＶ受像機１００との間で情報を授受するためのインタフェース回路である。
【００４９】
図３は、図１に示すプリンタ２２の外観を示す図である。この図３に示すように、プリンタ２２は、筐体１３０、蓋部１３１、給紙部１３２、排紙部１３３、操作部１３６、およびクレードル４８によって構成されている。
【００５０】
ここで、筐体１３０は、樹脂等によって構成され、その内部には、図１および図２に示すような機構部分および制御部分を内蔵している。蓋部１３１は、筐体１３０に設けられた回動軸（図示せず）を中心に、開閉方向に回動自在に係止されている。蓋部１３１を開くと、筐体１３０内部に収められている印刷ヘッドユニット６０等が見える。
【００５１】
給紙部１３２は、印刷用紙Ｐを貯留するストッカおよびストッカに貯留されている印刷用紙Ｐを一枚ずつ給紙する給紙機構を有している。排紙部１３３は、印刷が終了した印刷用紙Ｐを排出する排出口と、排出口から排出された印刷用紙Ｐを貯留する排紙トレイ等によって構成されている。この図３では、排紙部１３３は、排紙可能な状態ではないので、排紙可能とするには、排紙部１３３の排紙トレイを回動させて排出口を外部と連動させる必要がある。
【００５２】
クレードル４８は、蓋部１３１の一部に設けられた、凹形状を有する部材によって形成され、ディジタルカメラ９０の底面を下にして嵌合させることにより、ディジタルカメラ９０を固定するとともに、ディジタルカメラ９０との間で情報の授受が可能となる。なお、筐体１３０にクレードル４８を固定せず、プリンタ２２から離れた位置に設置するようにしたり、クレードル４８自体を設けず、他の接続手段に置き換えるようにしたりしてもよい。
【００５３】
図４は、図３に示すプリンタ２２を前面から眺めた場合の外観図である。この図４では、クレードル４８にディジタルカメラ９０が載置された状態を示している。クレードル４８にディジタルカメラ９０が載置されると、被写体または撮影した画像を表示するための表示部であるＬＣＤ９０ｇが前方を向くように構成されているので、ユーザは、ＬＣＤ９０ｇに表示された情報を閲覧することが可能になる。
【００５４】
図５は、クレードル４８の底面（ディジタルカメラ９０の底面が当接される面）に設けられたアンテナ４８ａ，４８ｂを示す図である。この図に示すように、クレードル４８の底面には、コイル状のアンテナ４８ａおよびアンテナ４８ｂが設けられている。アンテナ４８ａは、ディジタルカメラ９０との間で情報を授受する際に使用される。アンテナ４８ｂは、ディジタルカメラ９０が有する二次電池９０ｐ（図７を参照して後述する）を充電する際に、ディジタルカメラ９０に電力を供給するために使用される。
【００５５】
図６は、ディジタルカメラ９０のＬＣＤ９０ｇが取り付けられた面（背面）の詳細な構成例を示す外観図である。この図に示すように、ディジタルカメラ９０の筐体１５０の背面には、ファインダー１５１、レリーズボタン１５２、ボタン１５３〜１５６、カーソルボタン１５７、および決定ボタン１５８が設けられており、筐体の右端には把持する場合のスリップ防止用のグリップ１５９が設けられている。
【００５６】
図７は、ディジタルカメラ９０の詳細な構成例を示す図である。この図に示すように、ディジタルカメラ９０は、ＣＰＵ９０ａ、画像処理部９０ｂ、光学系９０ｃ、ＣＣＤ（Ｃｈａｒｇｅ  Ｃｏｕｐｌｅｄ  Ｄｅｖｉｃｅ）９０ｄ、操作部９０ｅ、アクチュエータ９０ｆ、ＬＣＤ９０ｇ、ＲＡＭ９０ｈ、ＲＯＭ９０ｉ、フラッシュメモリ９０ｊ、電源部９０ｋ、充電部９０ｍ、送受信部９０ｎ、二次電池９０ｐ、バス９０ｑによって構成されている。
【００５７】
ここで、取得手段であるＣＰＵ９０ａは、ＲＯＭ９０ｉに格納されたプログラムに応じて、装置の各部を制御するとともに、所定の演算処理を実行する。画像処理部９０ｂは、ＣＣＤ９０ｄから供給された画像信号をディジタル信号に変換するとともに、ガンマ処理等を施して出力する。
【００５８】
光学系９０ｃは、複数のレンズによって構成され、被写体の光画像をＣＣＤ９０ｄの受光面に集光する。ＣＣＤ９０ｄは、被写体の光画像を対応する画像信号に変換して出力する。
【００５９】
操作部９０ｅは、例えば、レリーズボタン１５２、ズームボタン（図示せず）、および情報入力ボタン（図６に示すボタン１５３〜１５６、カーソルボタン１５７、および決定ボタン１５８）によって構成されており、被写体を撮像する場合および撮像した画像を参照したり、削除したりする場合に操作される。
【００６０】
アクチュエータ９０ｆは、光学系９０ｃの焦点調整を行ったり、レンズカバーを開閉したりするための駆動力を発生するものである。表示部であるＬＣＤ９０ｇは、被写体の画像、撮影された画像、およびプリンタ２２から供給された画像等の情報を表示する。
【００６１】
記憶部であるＲＡＭ９０ｈは、ＣＰＵ９０ａが実行するプログラムやデータを一時的に格納するためのメモリである。ＲＯＭ９０ｉは、ＣＰＵ９０ａが実行するプログラムやデータを格納しているメモリである。
【００６２】
フラッシュメモリ９０ｊは、撮影された画像を記憶するためのメモリであり、ディジタルカメラ９０の本体に対して着脱可能に構成されている。電源部９０ｋは、二次電池９０ｐから供給された直流電圧を所定の電圧になるように昇圧または降圧した後、装置の各部に供給する。
【００６３】
充電部９０ｍは、アンテナ４８ｂを介してプリンタ２２から送信された交番磁界を整流して直流電力を生成し、二次電池９０ｐを充電するとともに、二次電池９０ｐの端子電圧を検出する。
【００６４】
供給手段である送受信部９０ｎは、アンテナ４８ａとの間で、電波を媒介として情報を授受する。二次電池９０ｐは、例えば、ニッケル−カドミウム電池、ニッケル−水素電池、またはリチウム電池等によって構成され、直流電力を電源部９０ｋに供給するとともに、充電部９０ｍによって充電される。
【００６５】
バス９０ｑは、ＣＰＵ９０ａ、画像処理部９０ｂ、操作部９０ｅ、アクチュエータ９０ｆ、ＬＣＤ９０ｇ、ＲＡＭ９０ｈ、ＲＯＭ９０ｉ、電源部９０ｋ、および送受信部９０ｎを相互に接続し、これらの間で情報の授受を可能とする。
【００６６】
図８は、プリンタ２２に実装されているプログラムおよびドライバの機能について説明する図である。なお、これらの機能は、プリンタ２２のハードウエアと、Ｐ−ＲＯＭ４３およびＥＥＰＲＯＭ４６に格納されているソフトウエアとが協働することにより実現される。この図に示すように、プリンタ２２には、基本制御モジュール２００、プリンタドライバモジュール２０１、画像処理モジュール２０２、ＤＳＣ（Ｄｉｇｉｔａｌ  Ｓｔｉｌｌ  Ｃａｍｅｒａ）制御モジュール２０３、およびＤＢ２０４が実装されており、これらが所定のオペレーティングシステム（ＯＳ）の下で動作している。
【００６７】
特性情報取得手段であり、処理手段であり、画像サイズ特定手段であり、転送手段であり、表示手段であり、設定情報生成手段であり、格納手段であり、かつまた、画像データ取得手段である基本制御モジュール２００は、プリンタ２２の基本的な制御を行うためのモジュールである。印刷属性設定手段であり、印刷手段であるプリンタドライバモジュール２０１は、ディジタルカメラ９０のフラッシュメモリ９０ｊに記憶されている画像を印刷する際に、解像度の変換処理およびハーフトーニング処理等を実行するためのモジュールである。画像処理モジュール２０２は、例えば、画像の補正処理等を実行するためのモジュールである。
ＤＳＣ制御モジュール２０３は、ディジタルカメラを制御するためのモジュールである。ＤＢ２０４は、プリンタ２２およびディジタルカメラ９０を制御するためのプログラムやデータを格納するとともに、画像処理を行う際に対象となる画像を一時的に格納するためのデータベースとなるモジュールである。
【００６８】
つぎに、以上の実施の形態の動作について説明する。
【００６９】
まず、ユーザは、図６に示すディジタルカメラ９０のカーソルボタン１５７および決定ボタン１５８等を操作することにより、印刷しようとする画像を選択する。このとき、ＬＣＤ９０ｇには、図６に示すように、選択した画像（印刷しようとする画像）が表示された状態となる。
【００７０】
このような状態において、ユーザがプリンタ２２のクレードル４８に、ディジタルカメラ９０を載置すると、図９に示すフローチャートが開始される。このフローチャートが開始されると、以下のステップが実行される。
【００７１】
ステップＳ１０：基本制御モジュール２００は、送受信回路４７からの出力を参照して、クレードル４８にディジタルカメラ（ＤＳＣ）９０が載置されたか否かを検出し、検出した場合にはステップＳ１１に進み、それ以外の場合には同様の処理を繰り返す。
【００７２】
具体的には、送受信部９０ｎは常に微弱な電波を送信しており、当該電波の到達圏内にアンテナ４８ａ，４８ｂが位置した場合、すなわち、クレードル４８にディジタルカメラ９０が載置された場合には、送受信回路４７がこれを受信し、基本制御モジュール２００がディジタルカメラ９０が載置されたと判断する。
【００７３】
ステップＳ１１：基本制御モジュール２００は送受信部９０ｎを介して、ディジタルカメラ９０から、ディジタルカメラ９０の型番等を示す特定情報である情報（例えば、ＩＤ（Ｉｄｅｎｔｉｆｉｃａｔｉｏｎ）情報）を取得する。具体的には、基本制御モジュール２００は、送受信回路４７およびアンテナ４８ａを介して、型番等の情報を送信するように要求するコマンドを、ディジタルカメラ９０に送信する。
ディジタルカメラ９０のＣＰＵ９０ａは、ＲＯＭ９０ｉに格納されている型番を示す情報を取得し、送受信部９０ｎを介して送信する。その結果、基本制御モジュール２００は、ディジタルカメラ９０から送信されてきた情報をアンテナ４８ａを介して送受信回路４７が受信し、型番に関する情報を得る。
【００７４】
ステップＳ１２：基本制御モジュール２００は、ステップＳ１１で取得したディジタルカメラ９０の型番に関する情報を参照して初期設定を行う。具体的には、基本制御モジュール２００は、ＤＢ２０４に予め格納されているディジタルカメラに関する情報から、ステップＳ１１で取得した型番に対応する情報を取得し、その情報に基づいて基本設定を行う。
【００７５】
図１０は、ＤＢ２０４に予め格納されているディジタルカメラの情報の一例を示している。この例では、型番、属性、および内容が格納されている。例えば、型番「ＤＳＣ−００１」に対応する属性としての「画面サイズ」の内容としては「３００×２００」が格納されている。また、属性「画像サイズ」の内容としては「ＨＱ  ３００×２００  ＮＱ  ２５０×１５０」が、属性「変換テーブル」の内容としては「Ｔ００１」が格納されている。また、その他の型番「ＤＳＣ−００２」〜「ＤＳＣ−０９１」についても同様の情報が格納されている。
【００７６】
ここで、「画面サイズ」は、ＬＣＤ９０ｇのサイズを示しており、縦および横方向の画素数を示す。「画像サイズ」は、撮像された画像の縦および横方向の画素数を示しており、ＨＱ（Ｈｉｇｈ  Ｑｕａｌｉｔｙ）は、高解像度モードで撮像された場合の画素数を、ＮＱ（Ｎｏｒｍａｌ  Ｑｕａｌｉｔｙ）は、標準解像度モードで撮像された場合の画素数を示している。さらに、「変換テーブル」は、ＲＧＢ表色系からＣＭＹＫ表色系に変換する際のテーブルおよびハーフトーニング処理を行う際のテーブルを特定するための情報である。
【００７７】
このような情報を参照し、例えば、ディジタルカメラ９０が図１０に示す表の最初に掲げる「ＤＳＣ−００１」に該当する場合には、ディジタルカメラ９０に対して画像情報（特に、後述する文字情報）を表示させる場合には、画面のサイズが「３００×２００」となるように設定される。また、ディジタルカメラ９０から画像を読み取る場合には、画像サイズを参照して、画像の間引き処理等が実行される（詳細は後述する）。さらに、ディジタルカメラ９０に記憶されている画像データを印刷する場合には、「Ｔ００１」によって特定される変換テーブルを用いて画像データの変換処理が実行される。
【００７８】
ステップＳ１３：基本制御モジュール２００は、表示されている画像を印刷するか否かをユーザに問い合わせるメッセージをＬＣＤ９０ｇに表示させ、印刷する場合にはステップＳ１４に進み、それ以外の場合には処理を終了する。
【００７９】
具体的には、基本制御モジュール２００は、送受信回路４７を介して、メッセージ「この画像を印刷しますか？（ＹＥＳ、ＮＯ）」をディジタルカメラ９０に送信する。ディジタルカメラ９０では、送受信部９０ｎを介してこの情報を受信し、ＣＰＵ９０ａがＬＣＤ９０ｇの最下部に表示させる。図１１の（Ａ）は、このときＬＣＤ９０ｇに表示される画面の一例を示す図である。この例では、ＬＣＤ９０ｇの中央部に被写体の画像２２０が表示されており、最下部にはメッセージ２２１として「この画像を印刷しますか？（ＹＥＳ、ＮＯ）」が表示されている。
【００８０】
このような画面を参照し、ユーザが、ディジタルカメラ９０のカーソルボタン１５７を操作して「ＹＥＳ」、「ＮＯ」のいずれかを選択した後、決定ボタン１５８を操作した場合には、ディジタルカメラ９０のＣＰＵ９０ａは、選択された情報をプリンタ２２に通知する。例えば、「ＹＥＳ」が選択された場合には、ＣＰＵ９０ａは、その旨をプリンタ２２に通知する。その結果、基本制御モジュール２００は、印刷することが選択されたと判断して、ステップＳ１４に進む。
【００８１】
ステップＳ１４：基本制御モジュール２００は、画像を印刷する前に補正処理を行うか否かをユーザに問い合わせるメッセージをＬＣＤ９０ｇに表示させ、補正をする場合にはステップＳ１５に進み、それ以外の場合にはステップＳ２１に進む。
【００８２】
具体的には、基本制御モジュール２００は、送受信回路４７を介して、メッセージ「この画像を補正しますか？（ＹＥＳ、ＮＯ）」をディジタルカメラ９０に送信する。ディジタルカメラ９０では、送受信部９０ｎを介してこの情報を受信し、ＣＰＵ９０ａがＬＣＤ９０ｇの最下部に表示させる。図１１の（Ｂ）は、このときＬＣＤ９０ｇに表示される画面の一例を示す図である。この例では、ＬＣＤ９０ｇの中央部に被写体の画像２２０が表示されており、最下部にはメッセージ２２５として「この画像を補正しますか？（ＹＥＳ、ＮＯ）」が表示されている。
【００８３】
このような画面を参照し、ユーザが、ディジタルカメラ９０のカーソルボタン１５７を操作して「ＹＥＳ」、「ＮＯ」のいずれかを選択した後、決定ボタン１５８が操作した場合には、ディジタルカメラ９０のＣＰＵ９０ａは、選択された方の情報をプリンタ２２に通知する。例えば、「ＹＥＳ」が選択された場合には、ＣＰＵ９０ａは、その旨をプリンタ２２に通知する。その結果、基本制御モジュール２００は、補正をすることが選択されたと判断して、ステップＳ１５の処理に進む。
【００８４】
ステップＳ１５：基本制御モジュール２００は、ディジタルカメラ９０に対して、共用設定情報を格納済みであるか否かを問い合わせ、格納済みである場合にはステップＳ１８に進み、それ以外の場合にはステップＳ１６に進む。なお、「共用設定情報」とは、属性情報であって、プリンタ２２において画像データを印刷する際に使用する設定のうち、他の画像データを印刷する際にも共用できるものをいう。なお、この「共用設定情報」の詳細については、後述する。
【００８５】
ステップＳ１６：基本制御モジュール２００は、共用設定情報の入力用の画面をＬＣＤ９０ｇに表示させ、共用設定情報の入力を受ける。
【００８６】
ここで、共用設定情報とは、前述したように、画像を印刷する際の設定情報であって、他の画像を印刷する際にも共用できる設定情報をいい、具体的には、例えば、図１２に示すような情報をいう。この例では、共用設定情報としては、「カラーバランス」、「明るさ」、「コントラスト」、「フォーカス」、「印刷用紙種類」、「印刷モード」、および「印刷用紙サイズ」がある。
【００８７】
ここで、カラーバランスは、ＲＧＢの各色の強度のバランスをいう。明るさとは画像の明るさをいう。コントラストとは、画像の明度が高い部分と低い部分の比率をいう。フォーカスとは、輪郭がシャープであるかソフトであるかをいう。
印刷用紙種類は、印刷用紙の種類（例えば、ＰＭマット紙、またはファイン紙）をいう。印刷モードは、例えば、標準モードまたは高画質モードをいう。印刷用紙サイズは、例えば、Ｌ判、Ｂ５、またはＡ４をいう。
【００８８】
まず、基本制御モジュール２００は、明るさ入力用のインタフェースを表示するための情報をディジタルカメラ９０に送信する。その結果、ディジタルカメラ９０のＬＣＤ９０ｇには、図１３の（Ａ）に示す画像が表示される。
【００８９】
この表示例では、ＬＣＤ９０ｇの中央部には被写体の画像２２０が表示され、最下部には明るさを調整するためのインタフェース２３０が表示されている。ユーザは、カーソルボタン１５７を操作することにより、インタフェース２３０のスライダ２３０ａを移動させ、画像の明るさを調整することができる。なお、スライダ２３０ａが操作された場合には、表示されている画像データの明るさを操作量に応じて補正する処理を施し、ＬＣＤ９０ｇに表示されている画像の明るさが即座に変化するようにし、画像を参照しながら所望の明るさに調整できるようにしてもよい。
【００９０】
図１３の（Ａ）に示す画面において、明るさの調整が終了した場合には、ユーザは、決定ボタン１５８を操作する。すると、基本制御モジュール２００は、その時点におけるスライダ２３０ａの位置を示す情報を読み取り、例えば、ＤＢ２０４に格納する。なお、このとき、ディジタルカメラ９０のフラッシュメモリ９０ｊに格納されている画像は、スライダ２３０ａの位置に応じた明るさの補正が施された状態となっている。
【００９１】
つづいて、基本制御モジュール２００は、コントラスト調整用のインタフェースを表示するための情報をディジタルカメラ９０に送信する。その結果、ディジタルカメラ９０のＬＣＤ９０ｇには、図１３の（Ｂ）に示す画像が表示される。
【００９２】
この表示例では、ＬＣＤ９０ｇの中央部には被写体の画像２２０が表示され、最下部にはコントラストを調整するためのインタフェース２３５が表示されている。ユーザは、カーソルボタン１５７を操作することにより、スライダ２３５ａを移動させ、画像のコントラストを調整することができる。なお、前述のように、スライダ２３５ａが操作された場合には、ＬＣＤ９０ｇに表示されている画像のコントラストが即座に変化するようにし、画像を参照しながら所望のコントラストに調整できるようにしてもよい。
【００９３】
図１３の（Ｂ）に示す画面において、コントラストの調整が終了した場合には、ユーザは、決定ボタン１５８を操作する。すると、基本制御モジュール２００は、その時点におけるスライダ２３５ａの位置を示す情報を読み取り、例えば、ＤＢ２０４に格納する。なお、このとき、ディジタルカメラ９０のフラッシュメモリ９０ｊに格納されている画像は、スライダ２３５ａの位置に応じたコントラストとなるように補正が施された状態となっている。
【００９４】
つづいて、基本制御モジュール２００は、カラーバランス調整用のインタフェースを表示するための情報をディジタルカメラ９０に送信する。その結果、ディジタルカメラ９０のＬＣＤ９０ｇには、図１４の（Ａ）に示す画像が表示される。
【００９５】
この表示例では、ＬＣＤ９０ｇの中央部には被写体の画像２２０が表示され、最下部にはカラーバランスを調整するためのインタフェース２４０が表示されている。詳細には、スライダ２４０ａは、赤色（Ｒ）を調整するための操作部であり、スライダ２４０ｂは、緑色（Ｇ）を調整するための操作部であり、スライダ２４０ｃは、青色（Ｂ）を調整するための操作部である。これらのスライダ２４０ａ〜２４０ｃを適宜調整することにより、カラーバランスを最適に調整することができる。なお、前述のように、スライダ２４０ａ〜２４０ｃが操作された場合には、ＬＣＤ９０ｇに表示されている画像のカラーバランスが即座に変化するようにし、画像を参照しながら所望のカラーバランスに調整できるようにしてもよい。
【００９６】
図１４の（Ａ）に示す画面において、カラーバランスの調整が終了した場合には、ユーザは、決定ボタン１５８を操作する。すると、基本制御モジュール２００は、その時点におけるスライダ２４０ａ〜２４０ｃの位置を示す情報を読み取り、例えば、ＤＢ２０４に格納する。なお、このとき、ディジタルカメラ９０のフラッシュメモリ９０ｊに格納されている画像は、スライダ２４０ａ〜２４０ｃの位置に応じたカラーバランスとなるように補正が施された状態となっている。
【００９７】
つづいて、基本制御モジュール２００は、フォーカス補正等に関するインタフェースを表示するための情報をディジタルカメラ９０に送信する。その結果、ディジタルカメラ９０のＬＣＤ９０ｇには、図１４の（Ｂ）に示す画像が表示される。
【００９８】
この表示例では、ＬＣＤ９０ｇの中央部には被写体の画像２２０が表示され、最下部にはフォーカス補正等を行うためのインタフェース２４５が表示されている。詳細には、インタフェース２４５には、「１．フォーカス補正（ソフト、シャープ、しない）」、「２．印刷用紙種類（ＰＭ写真紙、ファイン紙）」、「３．印刷モード（高画質、普通）」、「４．印刷用紙サイズ（Ｌ判、Ｂ５、Ａ４）」が表示されている。
【００９９】
ここで、「１．フォーカス補正（ソフト、シャープ、しない）」は、フォーカスを設定するためのものであり、画像の輪郭をソフトもしくはシャープにするかまたはしないのいずれかを設定する。「２．印刷用紙種類（ＰＭ写真紙、ファイン紙）」は、印刷用紙の種類を設定するためのものであり、ＰＭ写真紙またはファイン紙のいずれかを設定する。「３．印刷モード（高画質、普通）」は、印刷モードを設定するためのもので、高画質または普通のいずれかを設定する。「４．印刷用紙サイズ（Ｌ判、Ｂ５、Ａ４）」は、印刷用紙のサイズを設定するもので、Ｌ判、Ｂ５、Ａ４のいずれかを設定する。
【０１００】
図１４の（Ｂ）に示す画面において、フォーカス補正等に関する入力が終了した場合には、ユーザは、決定ボタン１５８を操作する。すると、基本制御モジュール２００は、入力された情報を読み取り、例えば、ＤＢ２０４に格納する。また、ディジタルカメラ９０のＣＰＵ９０ａは、指定された情報に応じて、画像に対して、例えば、フォーカス処理等を施す。その結果、フラッシュメモリ９０ｊに格納されている画像データは、インタフェース２４５の設定状況に応じた補正が施されることになる。
【０１０１】
以上により図１２に示す共用設定情報の入力が終了する。
【０１０２】
ステップＳ１７：基本制御モジュール２００は、共通設定情報の設定状況に応じて補正処理が施された画像データをプレビュー画像として、ＬＣＤ９０ｇに表示する。
【０１０３】
ステップＳ１８：基本制御モジュール２００は、ステップＳ１５で肯定的（ＹＥＳ）である場合、このステップに進み、ディジタルカメラ９０から共用設定情報を取得する。すなわち、ステップＳ１６において入力された共用情報は、後述するようにステップＳ２０においてディジタルカメラ９０のＲＡＭ９０ｈまたはフラッシュメモリ９０ｊに格納されるので、それ以降の印刷においては、これらに格納された共用設定情報を利用することができる。ステップＳ１８の処理が完了すると、ステップＳ１７に進む。
【０１０４】
ステップＳ１９：基本制御モジュール２００は、ステップＳ１７におけるプレビュー画像を参照して、ユーザがその補正内容で印刷することを了承するか否かを確認する。そして、例えば、決定ボタン１５８を操作した場合（ＹＥＳの場合）にはステップＳ２０に進み、それ以外の場合にはステップＳ１６に戻って、共用設定情報を再入力する。
【０１０５】
ステップＳ２０：基本制御モジュール２００は、ステップＳ１６において入力された共用設定情報を、ディジタルカメラ９０に送信し、ＲＡＭ９０ｈまたはフラッシュメモリ９０ｊの所定の領域に格納させる。この結果、これ以降は、共用設定情報を再度入力することなく、画像データの印刷を行うことができる。なお、共用設定情報として選択されているものは、ユーザの好みを反映する情報（カラーバランス、明るさ、コントラスト、フォーカス、印刷モード）と、ユーザが有している印刷用紙によって決まる情報（印刷用紙種類、印刷用紙サイズ）とから構成されており、これらは、一般的に、頻繁には変更されない設定内容であると考えられる。そのため、これらを共用設定情報としてディジタルカメラ９０に記憶させ、印刷の度にこれを読み出して使用することにより、設定の手間を省略することができる。
【０１０６】
なお、共用設定情報は、所定の画像のグループ毎に設定および保存が可能となるようにしてもよい。このようにすると、同じディジタルカメラ９０によって撮影された画像であっても、日時、場所が異なることで、明るさやコントラストが異なる画像となることがある場合への対応が可能となる。この場合、ステップＳ１５〜ステップＳ１８の処理の際に、複数の共用設定情報からその画像に合った共用設定情報を選択することとなる。共用設定情報の一部、例えば、印刷用紙種類、印刷モード、印刷用紙サイズのみを全ての画像に対する共用設定情報として保存し、他の情報、例えば、明るさ、コントラスト、カラーバランス、フォーカス補正については、必要とされる画像に対してのみ有効となるようにしてもよい。
【０１０７】
ステップＳ２１：基本制御モジュール２００は、非共用設定情報の入力用の画面をＬＣＤ９０ｇに表示させ、非共用設定情報の入力を受ける。
【０１０８】
ここで、非共用設定情報とは、画像を印刷する際の設定情報であって、他の画像を印刷する際には共用できない設定情報をいう。具体的には、例えば、図１２に示すような情報をいう。この例では、非共用設定情報としては、「赤目補正」、「逆光補正」、「印刷枚数」がある。
【０１０９】
ここで、「赤目補正」はストロボを使用して被写体を撮影した場合に、目が赤く写ってしまう現象を防止するための補正である。「逆光補正」は、被写体が光源を背になるようにして撮影した場合に、被写体が暗くなる現象を防止する補正である。印刷枚数は、１度に画像を印刷する枚数である。
【０１１０】
図１５の（Ａ）は、ステップＳ２１の処理によってＬＣＤ９０ｇに表示される画面の一例である。この例では、ＬＣＤ９０ｇの中央に被写体の画像２２０が表示され、最下部には赤目補正等を設定するためのインタフェース２５０がされている。詳細には、インタフェース２５０には、「１．赤目補正（する、しない）」、「２．逆光補正（する、しない）」、「３．印刷枚数（２枚）」が表示されている。ユーザは、例えば、カーソルボタン１５７を操作することにより、各項目の設定を行うことができる。そして、ユーザが決定ボタン１５８を操作すると、入力された情報がプリンタ２２に送信され、つぎのステップＳ２２に進む。
【０１１１】
ステップＳ２２：基本制御モジュール２００は、ステップＳ２１において入力された非共用設定情報をディジタルカメラ９０に送信し、表示されている画像データに対して補正処理を施すように要求する。その結果、ＣＰＵ９０ａは、非共用設定情報に応じて画像データに補正処理を施し、プレビュー画像としてＬＣＤ９０ｇに表示する。
【０１１２】
ステップＳ２３：基本制御モジュール２００は、このようなプレビュー画像を参照することにより、ユーザが印刷することを了承した場合にはステップＳ２４に進み、それ以外の場合にはステップＳ２１に戻って非共用設定情報を再入力する。詳細には、基本制御モジュール２００は、ディジタルカメラ９０に対して、メッセージ「印刷しますか？（ＹＥＳ、ＮＯ）」を表示するための情報を送信し、ユーザの入力を待つ。
【０１１３】
図１５の（Ｂ）は、このときＬＣＤ９０ｇに表示される画面の一例である。この例では、画面の中央に被写体の画像２２０が表示され、最下部にはメッセージ２５５として「印刷しますか？（ＹＥＳ、ＮＯ）」が表示されている。このような画面を参照し、ユーザがカーソルボタン１５７を操作して、ＹＥＳを選択した場合にはステップＳ２４に進み、それ以外の場合にはステップＳ２１に戻る。
【０１１４】
ステップＳ２４：基本制御モジュール２００は、ディジタルカメラ９０から補正がなされた画像データを取得して印刷する処理を実行する。このとき、その印刷する画像に対応する共用設定情報と非共用設定情報を、その画像に対応させてディジタルカメラ９０に記憶させておくようにしてもよい。この場合、ステップＳ１４の補正をするか否かの判定において、“ＹＥＳ”、“ＮＯ”の表示に代えて、例えば、従来の補正を利用、新たに補正する、“ＮＯ”の表示を行い、これらから選択するようにできる。
なお、この処理の詳細は、図１６を参照して説明する。
【０１１５】
図１６は、図９に示すステップＳ２４の「印刷処理」の詳細を説明するための図である。このフローチャートが開始されると、以下のステップが実行される。
【０１１６】
ステップＳ３０：基本制御モジュール２００は、印刷しようとする画像データの画素数をディジタルカメラ９０から取得する。この結果、例えば、縦および横の画素数として「３００×２００」が取得される。
【０１１７】
ステップＳ３１：基本制御モジュール２００は、共用設定情報として設定された印刷用紙のサイズを取得する。この結果、例えば、印刷用紙のサイズとして「Ｌ判」が取得される。
【０１１８】
ステップＳ３２：基本制御モジュール２００は、共用設定情報として設定された印刷モードを取得する。この結果、例えば、印刷モードとして「普通」が取得される。
【０１１９】
ステップＳ３３：基本制御モジュール２００は、印刷用紙のサイズと、印刷モードとを参照し、印刷に必要な画素数を計算する。この例では、用紙サイズがＬ判であり、印刷モードが普通であるので、必要画素数として、例えば、２００×１００画素が算出される。
【０１２０】
ステップＳ３４：基本制御モジュール２００は、ステップＳ３３において算出された必要画素数と、ステップＳ３０で取得した画像の画素数とを比較し、必要画素数が画像の画素数よりも少ない場合にはステップＳ３５に進み、それ以外の場合にはステップＳ３７に進む。この例では、必要画素数は２００×１００であり、画像の画素数は３００×２００であるのでステップＳ３５に進む。
【０１２１】
ステップＳ３５：基本制御モジュール２００は、ディジタルカメラ９０に対して画像データの間引き処理を行うように要求する。すなわち、この例では、画像の画素数は３００×２００であり、必要画素数は２００×１００であるので、画像データが２００×１００になるように間引き処理を行うようにディジタルカメラ９０に要求する。その結果、ディジタルカメラ９０では、ＣＰＵ９０ａが必要画素数になるように画像データを間引き処理する。
【０１２２】
ステップＳ３６：基本制御モジュール２００は、間引き処理が完了した画像データをディジタルカメラ９０から転送する処理を実行する。その結果、この例では、２００×１００に間引きされた画像データが送受信部９０ｎおよび送受信回路４７を介して、プリンタ２２に転送される。
【０１２３】
ステップＳ３７：ステップＳ３４で、画像の画素数が必要画素数以下の場合は、基本制御モジュール２００は、印刷しようとする画像データをそのまま転送するようにディジタルカメラ９０に要求する。その結果、画像データが送受信部９０ｎおよび送受信回路４７を介して、プリンタ２２に転送される。
【０１２４】
ステップＳ３８：基本制御モジュール２００は、転送されてきた画像データを、必要画素数になるように補間処理する。例えば、画像の画素数が１００×５０である場合には、必要画素数である２００×１００になるように補間処理を実行する。
【０１２５】
ステップＳ３９：基本制御モジュール２００は、間引き処理がなされた画像データまたは補間処理がなされた画像データをプリンタドライバモジュール２０１に受け渡し、印刷処理を実行する。この結果、プリンタドライバモジュール２０１では、解像度変換処理、色変換処理、およびハーフトーニング処理等が実行された後、印刷ヘッド１２に順次供給される。
【０１２６】
このとき、制御回路４０は、キャリッジモータ２４を駆動してキャリッジ３１を主走査方向に移動させるとともに、印刷ヘッド１２からインクを吐出させ、走査線の描画を行う。そして、１本の走査線の描画が完了すると、制御回路４０は、紙送りモータ２３を駆動して副走査方向に印刷用紙Ｐを移動させる。このような動作を繰り返すことにより、印刷しようとする画像データに対応するドットが印刷用紙Ｐ上に形成され、画像の印刷が完了する。
【０１２７】
なお、以上の説明では、ディジタルカメラ９０のＲＡＭ９０ｈまたはフラッシュメモリ９０ｊに共用設定情報が格納されていない状態での動作について説明したが、共用設定情報が格納された状態において、前述の場合と同様の動作が実行された場合には、ステップＳ１５において、共用設定情報は存在する（Ｙ）と判定され、ステップＳ１８に進むので、図１３および図１４に示す設定画面を経ることなく印刷を行うことができる。その結果、煩雑な操作を行うことなく、簡易に画像を印刷することが可能になる。
【０１２８】
以上に説明したように、本発明の実施の形態では、ディジタルカメラ９０において印刷しようとする画像を選択した後、クレードル４８上にディジタルカメラ９０を載置することにより、当該画像の印刷が行えるようにしたので、コンピュータ等の操作に習熟していないユーザであっても、印刷を簡単に実行することができる。
【０１２９】
また、以上の実施の形態では、第１回目の印刷において、共用設定情報をディジタルカメラ９０のＲＡＭ９０ｈまたはフラッシュメモリ９０ｊに格納しておき、第２回目以降の印刷では、ディジタルカメラ９０に格納されている共用設定情報を利用して印刷を行うようにしたので、操作を簡易化するとともに、ユーザの好みに合致した補正を行うことができる。
【０１３０】
また、以上の実施の形態では、ディジタルカメラ９０に設けられたＬＣＤ９０ｇを、プリンタ２２の表示部として流用するようにしたので、プリンタ２２の本体に表示部を設けなくても、ＬＣＤ９０ｇを参照することにより、各種の設定等を簡易に行うことが可能になる。
【０１３１】
また、ディジタルカメラ９０のＬＣＤ９０ｇとしては、一般的に、フルカラーであり、かつ、高精細なものが使用されることが多いため、このようなＬＣＤ９０ｇをプリンタ２２の表示部として流用することにより、印刷しようとする画像を事前に確認（プレビュー）するとともに、各種補正が必要となる場合にはＬＣＤ９０ｇに表示させて、確認しながら補正処理を行うことが可能になる。
【０１３２】
また、以上の実施の形態では、プリンタ２２によって画像を印刷する前に、印刷用紙の種類、印刷枚数、印刷モード、印刷用紙の種類等をＬＣＤ９０ｇを参照しながら設定することができるので、スタンドアローン型のプリンタであっても、これらの設定を確実かつ迅速に行うことができる。
【０１３３】
また、以上の実施の形態では、ディジタルカメラ９０からプリンタ２２へ画像データを転送する際には、プリンタ２２において印刷する際に必要な画素数よりも画素数が多い場合には間引きした後に転送し、それ以外の場合にはそのまま転送するようにしたので、転送される画像データの容量を少なくすることにより、転送に必要な時間を削減することが可能になる。
【０１３４】
以上、本発明の一実施の形態について説明したが、本発明はこれ以外にも種々変形可能である。例えば、共用設定情報としては「カラーバランス」、「明るさ」、「コントラスト」、「フォーカス」、「印刷用紙種類」、「印刷モード」、「印刷用紙サイズ」を例に挙げて説明したが、これ以外の情報についても共用設定情報として利用することができる。また、これらの情報の一部を共用設定情報から除外することも可能である。
【０１３５】
また、以上の実施の形態では、共用設定情報は、同一のプリンタ２２によって利用するようにしたが、例えば、異なるプリンタで利用できるようにしてもよい。そのような実施の形態によれば、あるプリンタで設定した共用設定情報を他のプリンタでも利用できるので、例えば、自宅で共用設定情報を設定し、会社でこれを利用して最適な印刷を行うことができる。
【０１３６】
また、以上の実施の形態では、ディジタルカメラ９０側で画像データの補正処理（明るさ、コントラスト等の調整）を実行した後、必要画素数に応じて間引き処理等を実行し、転送するようにしたが、ディジタルカメラ９０側で必要画素に応じて間引き処理等を実行してプリンタ２２側に転送した後に、プリンタ２２側で補正処理と補間処理等を実行するようにすることも可能である。また、逆に、ディジタルカメラ９０側で、補正処理をし、プリンタ２２側で間引き処理や補間処理を行うようにしたり、ディジタルカメラ９０側で補正処理、間引き処理および補間処理の全てを行うようにしたり、プリンタ２２側で補正処理、間引き処理、および補間処理の全てを行うようにしてもよい。
【０１３７】
また、以上の実施の形態では、ディジタルカメラ９０の操作部９０ｅを利用して各種情報を入力するようにしたが、プリンタ２２の操作部１３６を利用するようにしてもよい。
【０１３８】
また、以上の実施の形態では、インクとしては、ＣＭＹＫの４色を用いるようにしたが、これ以外に淡色系のインク（ライトシアン（ＬＣ）、ライトマゼンタ（ＬＭ）、ダークイエロー（ＤＹ））のインクを用いるようにしてもよい。
【０１３９】
また、以上の実施の形態では、ピエゾ素子を用いてインクを吐出するヘッドを備えたプリンタ２２を用いているが、吐出駆動素子としては、ピエゾ素子以外の種々のものを利用することが可能である。例えば、インク通路に配置したヒータに通電し、インク通路内に発生する気泡（バブル）によりインクを吐出するタイプの吐出駆動素子を備えたプリンタに適用することも可能である。また、熱昇華型のプリンタまたはレーザ式のプリンタについても適用可能である。
【０１４０】
また、以上の実施の形態では、ディジタルカメラ９０と、プリンタ２２との間で無線通信によって情報および電力を授受するようにしたが、例えば、有線によってこれらを接続することも可能である。
【０１４１】
また、以上の実施の形態では、プリンタ２２の蓋部１３１上にクレードル４８を設けるようにしたが、これ以外の場所（例えば、筐体１３０等）に設けることも可能である。また、クレードル４８を回転可能として、任意の方向にＬＣＤ９０ｇが向くようにしてもよい。さらに、クレードル４８を着脱可能とするとともに、複数のクレードルを準備しておき、ディジタルカメラ９０の種類に応じたクレードルを選択して装着できるようにしてもよい。また、表示部として、ＬＣＤ９０ｇを示したが、ＬＥＤ（Ｌｉｇｈｔ  Ｅｍｉｔｔｉｎｇ  Ｄｉｏｄｅ）、ＰＤＰ（Ｐｌａｓｍａ  Ｄｉｓｐｌａｙ  Ｐａｎｅｌ）エレクトロクロミック等他の表示素子を利用するものとしてもよい。
【０１４２】
さらに、以上の実施の形態では、撮像装置としてディジタルカメラ９０を例に挙げて説明を行ったが、これ以外にもビデオカメラ、カメラ付きの携帯電話、ＰＤＡ（Ｐｅｒｓｏｎａｌ  Ｄｉｇｉｔａｌ  Ａｓｓｉｓｔａｎｔ）に対しても本発明を適用することが可能である。要は、撮像部を有する装置であればよい。また、撮像機能を有さず、画像の保存と機能と表示部を有するＰＤＡ付きの装置であってもよく、この場合、画像はカメラを接続したり、記憶媒体を利用して当該装置内に保存したりすることとなる。
【０１４３】
なお、以上の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Ｒａｎｄｏｍ  Ａｃｃｅｓｓ  Ｍｅｍｏｒｙ）、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯなどがある。
【０１４４】
また、処理機能が記述されたプログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１４５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１４６】
【発明の効果】
本発明によれば、撮像装置によって撮像された画像を簡易に印刷することが可能となる。
【図面の簡単な説明】
【図１】本実施の形態に係る印刷装置の主要部分の概略構成を示す図である。
【図２】図１に示すプリンタの制御回路の詳細な構成例を示すブロック図である。
【図３】図１に示すプリンタを斜め上方向から眺めた場合の外観図である。
【図４】図１に示すプリンタを前方から眺めた場合の外観図である。
【図５】図１に示すプリンタが有するクレードルの底面に設けられたアンテナの構成例を示す図である。
【図６】図１に示すディジタルカメラのＬＣＤが具備されている面の詳細を説明するための外面図である。
【図７】図１に示すディジタルカメラの電気的な構成例を示すブロック図である。
【図８】図１に示すプリンタのハードウエアとソフトウエアとが協働することにより実現される処理機能を示す図である。
【図９】図１に示すディジタルカメラがクレードル上に載置された場合に開始される処理の一例を示すフローチャートである。
【図１０】プリンタのＰ−ＲＯＭまたはＥＥＰＲＯＭに予め格納されているディジタルカメラの型番とその仕様を示す図である。
【図１１】ディジタルカメラのＬＣＤに表示される画面であって、（Ａ）はディジタルカメラがクレードルに載置された場合に表示される画面を示しており、（Ｂ）は（Ａ）において「ＹＥＳ」が選択された場合の状態を示している。
【図１２】ディジタルカメラのＲＡＭまたはフラッシュメモリに格納されている共用設定情報と、非共用設定情報の詳細を説明するための図である。
【図１３】ディジタルカメラのＬＣＤに表示される画面であって、（Ａ）は明るさを調整するためのスライダが表示された画面を示しており、（Ｂ）はコントラストを調整するためのスライダが表示された画面を示している。
【図１４】ディジタルカメラのＬＣＤに表示される画面であって、（Ａ）はカラーバランスを調整するためのスライダが表示された画面を示しており、（Ｂ）はフォーカス補正等を実行するための表示がなされた画面を示している。
【図１５】ディジタルカメラのＬＣＤに表示される画面であって、（Ａ）は赤目補正等を実行するための表示がなされた画面を示しており、（Ｂ）は印刷をするか否かを確認するための表示がなされた画面を示している。
【図１６】図１２に示す「印刷処理」の詳細を説明するためのフローチャートである。
【符号の説明】
２２  プリンタ（印刷装置）
４８  クレードル（載置部）
９０  ディジタルカメラ（撮像装置）
９０ａ  ＣＰＵ（取得手段）
９０ｇ  ＬＣＤ（表示部）
９０ｈ  ＲＡＭ（記憶手段）
９０ｎ  送受信部（供給手段）
２００  基本制御モジュール（特性情報取得手段、処理手段、画像サイズ特定手段、転送手段、表示手段、設定情報生成手段、格納手段、画像データ取得手段）
２０１  プリンタドライバモジュール（印刷属性設定手段、印刷手段）
【図１】
2005052995.tif 000003
【図２】
2005052995.tif 000004
【図３】
2005052995.tif 000005
【図４】
2005052995.tif 000006
【図５】
2005052995.tif 000007
【図６】
2005052995.tif 000008
【図７】
2005052995.tif 000009
【図８】
2005052995.tif 000010
【図９】
2005052995.tif 000011
【図１０】
2005052995.tif 000012
【図１１】
2005052995.tif 000013
【図１２】
2005052995.tif 000014
【図１３】
2005052995.tif 000015
【図１４】
2005052995.tif 000016
【図１５】
2005052995.tif 000017
【図１６】
2005052995.tif 000018